(57)【要約】【課題】ろ過器内に収容する中空糸膜フィルタの入口側と出口側との圧力差が所定値以下になるよう弁の開度を自動調整し、中空糸膜フィルタを安定運転させるろ過装置およびその運転方法を提供する。【解決手段】ろ過装置は、系統水ライン１に設けられ、中空糸膜フィルタ１３を収容するろ過器６と、このろ過器６の入口圧力とその出口圧力との圧力差が予め定められた圧力以下になるように弁開閉信号を演算する制御装置１７とを備えた。【選択図】  図１
2004249174.tif 000002
【特許請求の範囲】
【請求項１】
プラントに設けられ中空糸膜フィルタを収容するろ過器と、このろ過器の入口および出口に設けられた入口弁と出口弁と、前記ろ過器の入口圧力とその出口圧力との圧力差が予め定められた圧力以下になるように前記入口弁および出口弁を開閉させる弁開閉信号を演算する制御装置とを備えたことを特徴とするろ過装置。
【請求項２】
プラントに設けられ中空糸膜フィルタを収容するろ過器と、このろ過器の入口および出口に設けられた入口弁と出口弁と、前記ろ過器の入口圧力とその出口圧力との圧力差が予め定められた圧力以下でかつ前記ろ過器の器内温度が予め定められた温度上昇速度以下になるように前記入口弁および出口弁を開閉させる弁開閉信号を演算する制御装置とを備えたことを特徴とするろ過装置。
【請求項３】
前記ろ過器は、その入口側に系統水ラインの系統水用弁の入口側から分岐しバイパス用弁を介装したバイパスラインと、その系統水用弁の出口側に処理水用弁を介装して接続する処理水ラインと、この処理水ラインに設けたオーバフロー用弁と、前記ろ過器に接続されたパージ用弁と、前記ろ過器の入口側と出口側との圧力差を検出する差圧計と、そのろ過器内の温度を検出する温度計と、そのろ過器の入口側および出口側のうちいずれか少なくとも一方に補給水用弁を介装した補給水ラインとを備えたことを特徴とする請求項１または２記載のろ過装置。
【請求項４】
系統水ラインに設けられ中空糸膜フィルタを収容しかつ並列に配置する複数のろ過器と、前記系統水ラインと前記ろ過器の各々の入口側との間に設けられ、系統水を１箇所に集めて前記ろ過器のそれぞれに分配するマニホールドと、前記ろ過器のそれぞれから出た処理水を１箇所に集める合流管と、この合流管からの処理水を系統水ラインに案内する処理水ラインと、前記ろ過器の入口側と出口側との圧力差を検出する差圧計と、前記ろ過器の器内温度を検出する温度計とを備えたことを特徴とするろ過装置。
【請求項５】
ろ過器は、その入口側と出口側との圧力差および器内の温度との信号のうち、いずれか少なくとも一方の信号に基づいて演算される弁開閉演算信号によって開閉させる入口弁を備えたことを特徴とする請求項４記載のろ過装置。
【請求項６】
前記マニホールドは、その入口側に系統水ラインから供給される系統水を１箇所に集める集水タンクを備えたことを特徴とする請求項４記載のろ過装置。
【請求項７】
前記処理水ラインは、処理水タンクを備えたことを特徴とする請求項４記載のろ過装置。
【請求項８】
ろ過装置は、発電プラントの低圧給水加熱器の出口側、湿分分離器と脱気器とを結ぶ蒸気管、脱気器と給水ポンプとの間、高圧給水加熱器の出口側のうち、いずれか少なくとも一以上の位置に設置したことを特徴とする請求項１、２または４記載のろ過装置。
【請求項９】
起動運転時、系統水ラインに設けられ、中空糸膜フィルタを収容するろ過器の入口側圧力と出口側圧力との圧力差が予め定められた圧力以下になるよう弁開閉信号を演算し、前記系統水ラインから供給される系統水の流量を制御することを特徴とするろ過装置の運転方法。
【請求項１０】
起動運転時、系統水ラインに設けられ中空糸膜フィルタを収容するろ過器の入口側圧力と出口側圧力との圧力差が予め定められた圧力以下で、かつ前記ろ過器の器内温度が予め定められた温度上昇速度以下になるよう前記ろ過器の入口および出口に設けられた入口弁および出口弁の弁開閉信号を演算し、前記系統水ラインから供給される系統水の流量を制御することを特徴とするろ過装置の運転方法。
【請求項１１】
起動運転時、ろ過器に水を予め満たしておくことを特徴とする請求項９または１０記載のろ過装置の運転方法。
【請求項１２】
起動運転時、ろ過器に水を予め満たした後、通水を行うことを特徴とする請求項９または１０記載のろ過装置の運転方法。
【請求項１３】
起動運転時、ろ過器内のガスをパージさせた後、水を満たすことを特徴とする請求項９または１０記載のろ過装置の運転方法。
【請求項１４】
起動運転時、ろ過器内のガスを不活性ガスで置換した後、水を満たすことを特徴とする請求項９または１０記載のろ過装置の運転方法。
【発明の詳細な説明】
【０００１】
【発明の属する技術分野】
本発明は、発電プラント、化学プラント等の起動運転時、復水系統、給水系統に流れる復水・給水および各種プラントにおいて流通する流体に含まれる懸濁固形物を効果的に除去するろ過装置およびその運転方法に関する。
【０００２】
【従来の技術】
各種プラントにおいて流通する流体において懸濁固形物を除去する方法について、以下に発電プラントを参照して説明する。火力発電プラントや原子力発電プラント等の発電プラントでは、起動運転時、復水・給水中に含まれる、例えば酸化鉄等の懸濁固形物を除去するろ過装置として復水・給水処理装置が設けられている。
【０００３】
この復水・給水処理装置は、例えばポリエチレン等の高分子材で作製された中空糸膜フィルタをモジュールとし、このモジュールをろ過器内に収容し、処理水を中空糸膜フィルタの外側から内側に流し、膜表面で懸濁物質を除去するようになっている。そして、モジュールにした中空糸膜フィルタは、運転中の水質、例えば導電率、ろ過器の入口、出口の圧力差、処理水の収量等が予め定められた量を超えたとき交換するようになっている。
【０００４】
ところで、起動運転時、処理水は、温度が低く、粘性も比較的高い。このため、中空糸膜は、処理水の流れの抵抗が大きくなり、その定格流量をろ過することができなくなり、場合によっては目詰まりを起す可能性もあった。
【０００５】
目詰まりの防止手段には、中空糸膜を収容するろ過器の入口側と出口側とを互いに連絡させるバイパスラインを設け、バイパスラインに設けた弁を起動運転時、全開しておき、徐々に弁開度を絞って定格流量になると弁を全閉にする運転方法が、例えば特開平１１−４２４２４号公報（特許文献１参照）に開示されている。
【０００６】
【特許文献１】
特開平１１−４２４２４号公報
【０００７】
【発明が解決しようとする課題】
特開平１１−４２４２４号公報は、ろ過器の入口側と出口側とを結ぶバイパスラインに弁を備え、この弁を全開から徐々に絞り、処理水を急激に中空糸膜フィルタに流さないようにしているので、中空糸膜に与えられる流量抵抗を少なくさせている点で優れているものの、それでも幾つかの課題点を抱えており、その一つに圧力変動の対処手段がある。
【０００８】
復水・給水処理装置は、運転開始の初期時から高温・高圧の処理水をバイパスラインに流すことがある。高温・高圧の処理水がバイパスラインに流れると、弁の開度を徐々に絞っていく関係上、圧力変動が起り、処理水はフラッシュ（沸騰）する。処理水がフラッシュすると、バイパスラインは、もはやそれを抑制することができず、遂にはその影響が中空糸膜フィルタにも伝わり、中空糸膜フィルタは圧力変動に基づく圧力差（押圧力）によって座屈し、本来の処理能力を著しく低下させることがあった。
【０００９】
また、定格運転に入る前の昇温過程時、処理水はその粘性が低下し、透水性能が増加する。このため、中空糸膜フィルタは、軟化し、圧力変動に伴う圧力差に抗しきれず、座屈し、処理水の定格量を充分に処理できない等の問題があった。
【００１０】
本発明は、このような事情に基づいてなされたもので、ろ過器内に収容する中空糸膜フィルタの入口側と出口側との圧力差が常時一定値になるように維持させ、また、処理水の温度上昇率が常時一定値になるように弁の開度を自動制御し、中空糸膜フィルタを安定運転させるろ過装置およびその運転方法を提供することを目的とする。
【００１１】
【課題を解決するための手段】
本発明に係るろ過装置は、上述の目的を達成するために、請求項１に記載したように、プラントに設けられ中空糸膜フィルタを収容するろ過器と、このろ過器の入口および出口に設けられた入口弁と出口弁と、前記ろ過器の入口圧力とその出口圧力との圧力差が予め定められた圧力以下になるように前記入口弁および出口弁を開閉させる弁開閉信号を演算する制御装置とを備えたものである。
【００１２】
また、本発明に係るろ過装置は、上述の目的を達成するために、請求項２に記載したように、プラントに設けられ中空糸膜フィルタを収容するろ過器と、このろ過器の入口および出口に設けられた入口弁と出口弁と、前記ろ過器の入口圧力とその出口圧力との圧力差が予め定められた圧力以下でかつ前記ろ過器の器内温度が予め定められた温度上昇速度以下になるように前記入口弁および出口弁を開閉させる弁開閉信号を演算する制御装置とを備えたものである。
【００１３】
また、本発明に係るろ過装置は、上述の目的を達成するために、請求項３に記載したように、前記ろ過器は、その入口側に系統水ラインの系統水用弁の入口側から分岐しバイパス用弁を介装したバイパスラインと、その系統水用弁の出口側に処理水用弁を介装して接続する処理水ラインと、この処理水ラインに設けたオーバフロー用弁と、前記ろ過器に接続されたパージ用弁と、前記ろ過器の入口側と出口側との圧力差を検出する差圧計と、そのろ過器内の温度を検出する温度計と、そのろ過器の入口側および出口側のうちいずれか少なくとも一方に補給水用弁を介装した補給水ラインとを備えたものである。
【００１４】
また、本発明に係るろ過装置は、上述の目的を達成するために、請求項４に記載したように、系統水ラインに設けられ中空糸膜フィルタを収容しかつ並列に配置する複数のろ過器と、前記系統水ラインと前記ろ過器の各々の入口側との間に設けられ、系統水を１箇所に集めて前記ろ過器のそれぞれに分配するマニホールドと、前記ろ過器のそれぞれから出た処理水を１箇所に集める合流管と、この合流管からの処理水を系統水ラインに案内する処理水ラインと、前記ろ過器の入口側と出口側との圧力差を検出する差圧計と、前記ろ過器の器内温度を検出する温度計とを備えたものである。
【００１５】
また、本発明に係るろ過装置は、上述の目的を達成するために、請求項５に記載したように、ろ過器は、その入口側と出口側との圧力差および器内の温度との信号のうち、いずれか少なくとも一方の信号に基づいて演算される弁開閉演算信号によって開閉させる入口弁を備えたものである。
【００１６】
また、本発明に係るろ過装置は、上述の目的を達成するために、請求項６に記載したように、前記マニホールドは、その入口側に系統水ラインから供給される系統水を１箇所に集める集水タンクを備えたものである。
【００１７】
また、本発明に係るろ過装置は、上述の目的を達成するために、請求項７に記載したように、前記処理水ラインは、処理水タンクを備えたものである。
【００１８】
また、本発明に係るろ過装置は、上述の目的を達成するために、請求項８に記載したように、ろ過装置は、発電プラントの低圧給水加熱器の出口側、湿分分離器と脱気器とを結ぶ蒸気管、脱気器と給水ポンプとの間、高圧給水加熱器の出口側のうち、いずれか少なくとも一以上の位置に設置したものである。
【００１９】
また、本発明に係るろ過装置の運転方法は、上述の目的を達成するために、請求項９に記載したように、起動運転時、系統水ラインに設けられ、中空糸膜フィルタを収容するろ過器の入口側圧力と出口側圧力との圧力差が予め定められた圧力以下になるよう弁開閉信号を演算し、前記系統水ラインから供給される系統水の流量を制御する方法である。
【００２０】
また、本発明に係るろ過装置の運転方法は、上述の目的を達成するために、請求項１０に記載したように、起動運転時、系統水ラインに設けられ中空糸膜フィルタを収容するろ過器の入口側圧力と出口側圧力との圧力差が予め定められた圧力以下で、かつ前記ろ過器の器内温度が予め定められた温度上昇速度以下になるよう前記ろ過器の入口および出口に設けられた入口弁および出口弁の弁開閉信号を演算し、前記系統水ラインから供給される系統水の流量を制御する方法である。
【００２１】
また、本発明に係るろ過装置の運転方法は、上述の目的を達成するために、請求項１１に記載したように、起動運転時、ろ過器に水を予め満たしておく方法である。
【００２２】
また、本発明に係るろ過装置の運転方法は、上述の目的を達成するために、請求項１２に記載したように、起動運転時、ろ過器に水を予め満たした後、通水を行う方法である。
【００２３】
また、本発明に係るろ過装置の運転方法は、上述の目的を達成するために、請求項１３に記載したように、起動運転時、ろ過器内のガスをパージさせた後、水を満たす方法である。
【００２４】
また、本発明に係るろ過装置の運転方法は、上述の目的を達成するために、請求項１４に記載したように、起動運転時、ろ過器内のガスを不活性ガスで置換した後、水を満たす方法である。
【００２５】
【発明の実施の形態】
以下、本発明に係るろ過装置およびその運転方法の実施形態を図面および図面に付した符号を引用して説明する。
【００２６】
図１は、本発明に係るろ過装置およびその運転方法の第１実施形態であるろ過装置およびその運転方法を示す概念図である。
【００２７】
本実施形態に係るろ過装置は、系統水ラインとなる復水・給水ライン１に復水・給水用弁２を備えるとともに、系統水用弁である復水・給水用弁２の出口側の復水・給水ライン３に設けられ、処理水用弁４を介装させた処理水ライン５に接続するろ過器６と、このろ過器６の入口側と復水・給水ライン１の復水・給水用弁２の入口側とを接続させる、バイパス用弁１６を介装させたバイパスライン７とを備えている。
【００２８】
また、ろ過装置は、ろ過器６の入口側および出口側のそれぞれに第１補給水用弁８および第２補給水用弁９を介装させた補給水ライン１０と、ろ過器６内のガス等をパージさせるパージ用弁１１と、ろ過器６内の処理水のオーバフローを処理させるオーバフロー用弁１２とを備えている。
【００２９】
一方、ろ過器６は、器内に中空糸膜フィルタ１３を収容するとともに、器外に器内の温度を測定する温度計１４と器内の入口圧と出口圧の差圧を測定する差圧計１５とを備える一方、これら温度計１４、差圧計１５の検出信号に基づいてバイパスライン７のバイパス用弁１６、復水・給水用弁２および処理水用弁４のそれぞれに弁開閉信号を与える制御装置１７を備えている。
【００３０】
このような構成を備える本実施形態に係るろ過装置において、起動運転開始前、バイパス用弁１６と処理水ライン５の処理水用弁４は閉弁させ、復水・給水ライン１の復水・給水用弁２を開弁させ、復水・給水を復水・給水ライン１，３に流通させる。
【００３１】
ろ過器６に復水・給水の通水を開始するとき、本実施形態に係るろ過装置およびその運転方法は、差圧計１５から検出された差圧信号ａを制御装置１７に与え、ここで演算し、ろ過器６に収容する中空糸膜フィルタ１３が損傷あるいは座屈しない予め定められた設定差圧以下となる弁開度を求め、その弁開度演算信号ｂをバイパス用弁１６に与え、復水・給水の原水をろ過器６に供給する。
【００３２】
バイパス用弁１６を設定開度、例えば全開させた後、制御装置１７は、差圧計１５から検出された差圧信号ａが予め定められた設定差圧を超えないように弁開度を演算し、その弁開度演算信号ｃを処理水ライン５の処理水用弁４に与えて開弁させ、最後に設定開度、例えば全開させるとともに、この間、復水・給水用弁２も中空糸膜フィルタ１３が損傷等を起こさせない範囲内に弁開度が制御される。
【００３３】
このように、本実施形態に係るろ過装置およびその運転方法は、各弁の弁開度を制御した後、復水・給水の原水をろ過器６に流し、ここで原水に含まれる懸濁固形物等の除去を開始する。
【００３４】
次に、ろ過器６内の水温が上昇すると、その粘性が低下するので、本実施形態に係るろ過装置およびその運転方法は、ろ過器６内の差圧を予め定められた設定差圧下に維持させながら復水・給水用弁２を弁開度演算信号ｄによって閉弁させ、ろ過器６への原水供給量を増加させ、最後に定格流量に至らしめる。
【００３５】
起動運転開始操作中、本実施形態に係るろ過装置およびその運転方法は、復水・給水の温度上昇速度が高くなって中空糸膜フィルタ１３が損傷等を受けないように、温度計１４からの検出信号ｅと差圧計１５からの検出信号ａとに基づいて制御装置１７で弁開閉信号を演算し、その弁開閉演算信号ｄ，ｂ，ｃを復水・給水用弁２、バイパス用弁１６および処理水用弁４のそれぞれに与えて弁開度を調整する。
【００３６】
また、本実施形態に係るろ過装置およびその運転方法は、中空糸膜フィルタ１３に損傷等を与えないようにするため、復水・給水ライン１の復水・給水をろ過器６に通水する前に、ろ過器６内に体積変化が少なくなるよう水を予め満たし、差圧の変化を少なくさせることも行われる。この場合、パージ用弁１１とオーバフロー用弁１２を開弁させるとともに、第１補給水用弁８を開弁させ、補給ライン１０からの補給水をろ過器６に供給し、パージ用弁１１からガスを系外にパージさせる。
【００３７】
そして、パージ用弁１１から補給水がオーバフローしてろ過器６の入口側に水が満たされた後、パージ用弁１１を閉弁させる。さらに、オーバフロー用弁１２から補給水がオーバフローし、ろ過器６の出口側に水が満たされたとき、第１補給水用弁８およびオーバフロー用弁１２を閉弁させる。
【００３８】
このとき、差圧計１５の検出値が予め定められた設定差圧を超えないように、補給水の供給量が調整される。なお、ろ過器６の出口側に水を張る場合、第１補給水用弁８の代りに第２補給水用弁９を使用すれば、差圧を常に監視していなくとも補給水を供給することができ、時間の短縮につながる。
【００３９】
また、ろ過器６を水で満たした後、第１補給水用弁８からろ過器６に補給水ライン１０の補給水を供給し、オーバフロー用弁１２で水をオーバフローさせながら、中空糸膜フィルタ１３の膜内の気体をパージすると、膜の有効面積を増加させ、差圧の上昇を抑制することができるので、起動運転時間を比較的短くすることができる。
【００４０】
さらに、ろ過器６を水で満たすとき、パージ用弁１１およびオーバフロー用弁１２からポンプなどでガスのパージを併用すると、ろ過器６を系統に接続した場合、系統への酸素等のガスの供給が減り、溶存酸素等に基づく機器の腐食を抑制することができる。なお、補給水に不活性ガスを加えて水張テストを行えば、補給水中に含まれる酸素等の溶存化を少なくして機器の腐食を抑制することができる。
【００４１】
このように、本実施形態に係るろ過装置およびその運転方法は、中空糸膜フィルタ１３を収容するろ過器６の入口側をバイパスライン７を介して復水・給水ライン１に接続し、ろ過器６の出口側を処理水ライン５を介して復水・給水ライン３に接続し、各ライン１，７，５，３に介装させた各弁２，４，１６にろ過器６の差圧または温度の信号ａ，ｅに基づいて弁開閉信号ｄ，ｃ，ｂを演算する制御装置１７を備え、この制御装置１７から各弁２，４，１６に中空糸膜フィルタ１３が損傷しないように弁開閉信号ｄ，ｃ，ｂを与えて流量調整するので、ろ過器６に安定した運転を行わせることができる。
【００４２】
図２は、本発明に係るろ過装置およびその運転方法の第２実施形態であるろ過装置およびその運転方法を示す概念図である。
【００４３】
本実施形態に係るろ過装置は、系統水ラインである復水・給水ライン１に設けた復水・給水用弁２の入口側から分岐するマニホールド１８と、このマニホールド１８から並列に配置する第１ろ過器６ａ、第２ろ過器６ｂおよび第３ろ過器６ｃと、これら各ろ過器６ａ，６ｂ，６ｃから出た処理水を合流させる合流管１９と、この合流管１９から出た処理水を復水・給水用弁２の出口側に設けた復水・給水ライン３に戻す処理水ライン５とを備えたものである。
【００４４】
第１ろ過器６ａ、第２ろ過器６ｂおよび第３ろ過器６ｃは、それぞれ器内に中空糸膜フィルタ１３ａ，１３ｂ，１３ｃを収容するとともに、器外に器内の温度を測定する温度計１４ａ，１４ｂ，１４ｃおよび器内の入口部と出口部の圧力差を測定する差圧計１５ａ，１５ｂ，１５ｃのそれぞれを備える一方、入口側に第１入口弁２０ａ、第２入口弁２０ｂ、第３入口弁２０ｃをそれぞれを設け、出口側に第１出口弁２０ａ、第２出口弁２０ｂ、第３出口弁２０ｃをそれぞれ設けたものである。
【００４５】
このような構成を備える本実施形態に係るろ過装置において、例えば第１ろ過器６ａに復水・給水を通水するとき、第１実施形態と同様に、温度計１４ａおよび差圧計１５ａのそれぞれからの検出した温度信号および差圧信号に基づいて制御装置（図示せず）で弁開閉信号を演算し、その弁開閉演算信号を第１入口弁２０ａに与えて圧力調整した後、第１出口弁２１ａを開弁させる。なお、第２ろ過器６ｂ、第３ろ過器６ｃのそれぞれに復水・給水を通水するときも上述と同様な操作が行われる。
【００４６】
このように、本実施形態に係るろ過装置およびその運転方法は、複数のろ過器６ａ，６ｂ，６ｃを並列に配置し、各ろ過器６ａ，６ｂ，６ｃを自由に選択することによって復水・給水の処理を調整するので、各ろ過装置の個々の仕様に合せて設計することがなく、製造コストの低減化を図ることができる。
【００４７】
また、本実施形態に係るろ過装置およびその運転方法は、複数のろ過器を並列に配置したので、一つのろ過器が何らかの事情で故障しても、残りの他のろ過器で復水・給水の処理を行うことができ、復水・給水の処理を停止させることなく連続処理を行わせることができる。
【００４８】
なお、本実施形態に係るろ過装置およびその運転方法は、複数のろ過器６ａ，６ｂ，６ｃを並列に配置し、各ろ過器６ａ，６ｂ，６ｃの入口側に第１入口弁２０ａ、第２入口弁２０ｂ、第３入口弁２０ｃのそれぞれを介装させて共通のマニホールド１８を備えたが、この例に限らず、例えば、図３に示すように、さらに追設してマニホールド１８の入口側に、第１復水・給水用弁２ａを備えた第１復水・給水ライン１ａ、第２復水・給水用弁２ｂを備えた第１復水・給水ライン１ｂ、第３復水・給水用弁２ｃを備えた第１復水・給水ライン１ｃのそれぞれからバイパスされる第１バイパスライン７ａ、第２バイパスライン７ｂ、第３バイパスライン７ｃから供給される復水・給水の原水を１箇所に集める集水タンク２２を設けるとともに、各ろ過器６ａ，６ｂ，６ｃで復水・給水の原水を処理した処理水を一旦集合管１９で集合させ、その集合水を他の系統に供給する連絡管５に一旦処理水を集める処理水タンク２３を設けてもよい。
【００４９】
なお、第１から第３の実施形態においては、プラントにおける系統水ラインとして発電プラントにおける復水・給水ラインについて説明したが、化学プラントにおける系統水ライン、廃棄物処理プラントにおける水処理系等の中空糸を採用したろ過器を用いたプラントに採用することができるのは勿論である。
【００５０】
図４は、発電プラントに組み込んだ本発明に係るろ過装置の第４実施形態を示す概念図である。
【００５１】
発電プラントは、蒸気発生器２４、高圧タービン２５、湿分分離器２６、低圧タービン２７、復水器２８、脱塩装置２９、低圧給水加熱器３０、脱気器３１、給水ポンプ３２、高圧給水加熱器３３を備えた復水・給水の循環回路になっている。
【００５２】
また、発電プラントは、湿分分離器２６で分離したドレンを加熱源として脱気器３１に供給し、脱気器３１内の復水・給水に含まれている溶存酸素を加熱脱気させる蒸気管３４と、高圧タービン２５からの高圧タービン抽気を高圧給水加熱器３３に供給して復水・給水を予熱させる高圧タービン抽気管３５と、低圧タービンからの低圧タービン抽気を低圧給水加熱器３０に供給して復水・給水を予熱させる低圧タービン抽気管３６とを備えている。
【００５３】
このような構成を備える発電プラントにおいて、本実施形態に係るろ過装置は、高圧給水加熱器３３の出口側、脱気器３１と給水ポンプ３２との間、湿分分離器２６と脱気器３１とを結ぶ蒸気管３４、低圧給水加熱器３０の出口側のうち、いずれか少なくとも一つ以上の位置にろ過器６を設けたものである。
【００５４】
したがって、本実施形態に係るろ過装置によれば、高圧給水加熱器３３の出口側、脱気器３１と給水ポンプ３２との間、湿分分離器２６と脱気器３１とを結ぶ蒸気管３４、低圧給水加熱器３０の出口側のうち、いずれか少なくとも一つ以上の位置に第１から第３の実施形態に係るろ過装置を設け、復水・給水あるいは高圧給水加熱器３３から脱気器３１に戻すヒータドレンに含まれる懸濁物等をろ過器６で除去する構成にしたので、懸濁物等の付着に起因するポンプの振動を抑制し、懸濁物付着による低圧給水加熱器３０、高圧給水加熱器３３、蒸気発生装置２４に組み込まれている伝熱管の腐食抑制伝熱効率の低下等を防止することができる。
【００５５】
【発明の効果】
以上の説明のとおり、本発明に係るろ過装置およびその運転方法は、ろ過器に収容する中空糸膜フィルタで系統水に含まれる懸濁物等を除去する際、器内を流れる系統水の差圧・温度に基づいて弁開閉信号を演算し、その弁開閉演算信号を系統水ラインに設けた系統水用弁、ろ過器の入口側のバイパスラインに設けたバイパス用弁、ろ過器の出口側の連絡管に設けた処理水用弁のそれぞれに与え、中空糸膜フィルタの損傷が発生しないように系統水の流量を制御するので、ろ過装置の運転を運転して行うことができる。
【００５６】
また、本発明に係るろ過装置およびその運転方法は、ろ過器に収容する中空糸膜フィルタで系統水に含まれる懸濁物等を除去する際、ろ過器を並列に配置させ、並列に配置させた各ろ過器に収容する中空糸膜フィルタで系統水を浄化させるので、運転中、一つのろ過器に事故が発生しても残りのろ過器で運転することができ、系統水の浄化を連続的に行うことができる。
【図面の簡単な説明】
【図１】本発明に係るろ過装置およびその運転方法の第１実施形態を示す概念図。
【図２】本発明に係るろ過装置およびその運転方法の第２実施形態を示す概念図。
【図３】本発明に係るろ過装置およびその運転方法の第３実施形態を示す概念図。
【図４】本発明に係るろ過装置の適用例を示す発電プラントの概念図。
【符号の説明】
１  復水・給水ライン（系統水ライン）
１ａ  第１復水・給水ライン
１ｂ  第２復水・給水ライン
１ｃ  第３復水・給水ライン
２  復水・給水弁
２ａ  第１復水・給水弁
２ｂ  第２復水・給水弁
２ｃ  第３復水・給水弁
３  復水・給水ライン
４  処理水用弁
５  処理水ライン
６  ろ過器
６ａ  第１ろ過器
６ｂ  第２ろ過器
６ｃ  第３ろ過器
７  バイパスライン
７ａ  第１バイパスライン
７ｂ  第２バイパスライン
７ｃ  第３バイパスライン
８  第１補給水用弁
９  第２補給水用弁
１０  補給水ライン
１１  パージ用弁
１２  オーバフロー用弁
１３ａ，１３ｂ，１３ｃ  中空糸膜フィルタ
１４ａ，１４ｂ，１４ｃ  温度計
１５ａ，１５ｂ，１５ｃ  差圧計
１６  バイパス用弁
１７  制御装置
１８  マニホールド
１９  合流管
２０ａ  第１入口弁
２０ｂ  第２入口弁
２０ｃ  第３入口弁
２１ａ  第１出口弁
２１ｂ  第２出口弁
２１ｃ  第３出口弁
２２  集水タンク
２３  処理水タンク
２４  蒸気発生器
２５  高圧タービン
２６  湿分分離器
２７  低圧タービン
２８  復水器
２９  脱塩装置
３０  低圧給水加熱器
３１  脱気器
３２  給水ポンプ
３３  高圧給水加熱器
３４  蒸気管
３５  高圧タービン抽気管
３６  低圧タービン抽気管
【図１】
2004249174.tif 000003
【図２】
2004249174.tif 000004
【図３】
2004249174.tif 000005
【図４】
2004249174.tif 000006